Podtech/llm-jp-corpus-v4-ja_patent huggingface dataset:
(57)【要約】【課題】  シートを物体に貼り付けたりはがしたりすることを、何度も繰り返し行うことができる。【解決手段】  シートの片面にアクリル発泡スポンジを具備させることにより、そのアクリル発泡スポンジの吸着性能によって、対象物に貼り付けたりはがしたりを何度も繰り返し行うことができる。【選択図】      図３
0003101893.tif 000002
【実用新案登録請求の範囲】
【請求項１】
シートの一方の面にアクリル発泡スポンジを具備する吸着シート。
【考案の詳細な説明】
【技術分野】
【０００１】  本考案は、シートを物体に何回も貼り付けたりはがしたりすることができる吸着シートに関する。
【背景技術】
【０００２】  従来はシートを物体に貼り付けるために、粘着剤や接着剤をシートに塗布していた。【０００３】  また、シートに磁石を具備させることによって、鉄などの磁性体の物体に磁力によってシートを貼り付けていた。
【考案の開示】
【考案が解決しようとする課題】
【０００４】  従来の、粘着剤や接着剤をシートに塗布することによってシートを物体に貼り付ける方法は、はがしたいときになかなかはがすことができないという問題点があった。【０００５】  また、粘着剤でシートを物体に貼り付けた場合は、シートをはがすことができる場合があるが、その際、その粘着剤が相手の物体に残ってしまうことが多いという問題点があった。【０００６】  また、シートに磁石を具備させることによって、鉄の物体にシートを貼り付ける方法は、相手が鉄のような磁性体でなければならないという問題点があった。
本考案は、以上のような欠点を除くためになされたものである。
【課題を解決するための手段】
【０００７】  本考案の吸着シートは、シートの片面に具備されたアクリル発泡スポンジが物体に吸着することによってシートが物体に固定される。このアクリル発泡スポンジは何回も繰り返し接触した相手に吸着するという性質を持つ。【０００８】  また、本考案の吸着シートが貼り付く相手は鉄のような磁性体に限定されない。
【考案の効果】
【０００９】  本考案の吸着シートは何回も貼り付けたりはがしたりができるので、シートに必要事項を記入して表示する際に、表示場所を自由に変えることができるという利点がある。【００１０】  本考案の吸着シートを貼ることによって、例えばカレンダーの日付欄に必要事項を記入したり、ロッカーの内容物を表示したり、人の所在を表示するネームプレートとして貼り付けたり、箱の中の内容表示をしたりするなど、貼り替えることができる表示シートとして利用することができる。しかも貼り付いた相手を汚すことが無い。
【考案を実施するための最良の形態】
【００１１】  何回も貼り付けたりはずしたりすることができ、貼り付いた相手を汚さない吸着シートを実現した。
【実施例１】
【００１２】  図１は本考案の吸着シートの一実施例を示す斜視図である。シート１の片面にアクリル発泡スポンジ２が付いている。【００１３】  図２は図１の側面図である。アクリル発泡スポンジ２はシート１の一方の面に接着剤または粘着剤３によって固定されている。【００１４】  図３は本考案の吸着シートの一実施例で、シートに「不燃ゴミ」と記載されている。これをカレンダーの日付欄に貼り付ければ、不燃ごみを出す日がいつであるかがすぐに分かる。そのほかに、大型ごみの日、誕生日、結婚記念日、集金日、支払日など、色々な予定日をシートに記載し、カレンダーに貼っておけば、一目で確認することができ、大変便利である。【００１５】  また、本考案の吸着シートは何回も貼り付けたりはがしたりができるので、カレンダーの日付欄に貼っていた用の済んだ吸着シートをはがして先の日付に貼り替える事ができる。これによって、少ない枚数の吸着シートで用をなすことができる。【００１６】  また、本考案の吸着シートは、貼り替えることができる表示シートとして、ロッカーの内容物表示や入の所在を表示するネームプレート、箱の中の内容表示などに利用することができる。【００１７】  また、本考案の吸着シートは、英単語や漢字、あるいは九九などを覚えようとするときに、その吸着シートに覚えることがらを記入して、それを壁やノートなどに貼るという使い方もできる。そして、貼り付けたものの中から覚えたものをはがしてゆくということもできるので、記憶する作業の手助けとして、本考案の吸着シートは役に立つ。【００１８】  シート１の材質は、プラスチック、木、紙、ガラス、金属、鉱物等が適当であるが、それ以外の材質でも板の形状になるものはその材質でも良い。【００１９】  アクリル発泡スポンジ２の厚さは、０．５ミリメートルから３ミリメートル程度が適当で、縦横の寸法はシート１の大きさと同じであるのが適当であるが、これ以外の任意の寸法にしてもよい。【００２０】  アクリル発泡スポンジは、そのスポンジ自体が接する相手に吸着する性能を有する。このアクリル発泡スポンジが接する相手に吸着するしくみは、スポンジの表面部分の気泡が吸盤の役割を果たし、接する相手に吸着するというしくみになっている。【００２１】  アクリル発泡スポンジは軟らかいため、吸着する際に対象物を傷めない。そしてはがす際も相手を汚したり痛めたりせずに簡単にはがすことができ、しかも貼り付けたりはがしたりを何度も繰返し行うことができる。【００２２】  この吸盤の役割を果たす気泡は、直径１ミリメートル以下の非常に微細なもので、アクリル発泡スポンジの表面全面に付いている。この表面には粘着剤が付いていないため、吸着した相手を汚すことなく、しかも適度な強さで吸着する。このアクリル発泡スポンジは商品化され、市販されている。【００２３】  また、アクリル発泡スポンジが対象物に吸着するしくみが、粘着剤によるものでなく表面の気泡が吸盤のように吸い付くことであるため、アクリル発泡スポンジの表面が汚れることによって吸着力が無くなっても、水洗いすることによって回復することができる。
【図面の簡単な説明】
【００２４】
【図１】本考案の一実施例を示す斜視図である。
【図２】図１の側面図である。
【図３】本考案の一実施例を示す斜視図である。
【符号の説明】
【００２５】  １  シート
２  アクリル発泡スポンジ
３  接着剤または粘着剤
【図１】
0003101893.tif 000003
【図２】
0003101893.tif 000004
【図３】
0003101893.tif 000005
(57)【要約】【課題】  救命胴衣としての役目の他に、ウエストサポーターの役目をする救命胴衣を提供する。【解決手段】  救命胴衣が収納されている袋Ｄの腰から横腹までに当たる部分全体に、ゴムや樹脂、布などでできたクッション材を設置し、ベルトを通すためのベルト通しを設けた。【選択図】  図２
0003101892.tif 000002
【実用新案登録請求の範囲】
【請求項１】
（Ｄ）の腰に当たる面にゴムや樹脂、布などのクッション材を付属しており、（Ｄ）の腰に当たる面にベルト通しが設置されている救命胴衣
【考案の詳細な説明】
【技術分野】
【０００１】  本考案はウエストポーチ型の腰に巻く救命胴衣に係るものである。
【背景技術】
【０００２】  従来の救命胴衣は、救命胴衣としての役目だけで、釣りなど、水辺や水上でスポーツや遊びをする際、動きにくく邪魔な存在である。
【考案が解決しようとする課題】
【０００３】  本考案は、従来の技術の有するこの様な問題点に鑑みてなされたものであり、その目的とするところは、救命胴衣としての役目の他に、釣りをする時などに使用するウエストサポーターの役目をする救命胴衣を提供しようとするものである。
【課題を解決するための手段】
【０００４】  上記目的を達成するために、本考案の救命胴衣を身に付けた時に救命胴衣が収納されている袋Ｄの腰から横腹までに当たる部分全体に、ゴムや樹脂、布などでできたクッション材を設置した。また釣りなどをする時に、プライヤーやナイフなどをベルトに通して腰にぶらさげるためのベルトや、ギンバルハーネスを通すためのベルト通しＣを数箇所に設けた。
【考案を実施するための最良の形態】
【０００５】  本考案の救命胴衣を身に着けた時に、本考案の救命胴衣のベルト部Ｂのバックルをお腹のへそ辺りで留め、救命胴衣が収納されている袋Ｄは背中側にくるようにする。ベルト通しＣにプライヤーなどの必要なものをぶらさげるためのベルトやギンバルハーネスのベルトを通してお腹側で留める。落水した時は、自動膨張式ならば落水に反応してそのまま膨張し、手動膨張式の場合は手動索Ａを強く引けば面ファスナーＥが救命胴衣が膨らむ圧力に押されて開き、ウエスト全体を包み込んだ状態の浮輪になる。
【考案の効果】
【０００６】  水辺や水上にいる場合、救命胴衣は常に身に付けていなければ、安全ではない。いざ落水して誰も助けてくれる人がいなかった場合、まさしく前述の通りである。だから、本考案の救命胴衣は、ウエストサポーターの役目も果たす、常に身に着けてもらえる救命胴衣にした。
釣りなどをする時に、プライヤーやナイフなどをベルトに通して腰にぶらさげる人や、ギンバルハーネスを身に付けるは、ベルトのくい込みを防ぐためにウエストサポーターを使用する。だから、救命胴衣の役目を果たすウエストサポーターなら一石二鳥である。
救命胴衣を動きにくく邪魔で夏は暑いから着用していない人も、本考案の救命胴衣ならばウエストサポーターの役目も果たし、腰巻きタイプで邪魔にならなく、体に当たる部分が少ないので着用する人が増える。
【図面の簡単な説明】
【図１】本考案の救命胴衣の正面図である。
【図２】本考案の救命胴衣の背面図である。
【図３】本考案の救命胴衣の底面図である。
【図４】本考案の救命胴衣の左側面図である。
【図５】本考案の救命胴衣が膨らんだ状態の正面図である。
【符号の説明】
Ａ  本考案の救命胴衣が手動式である場合の作動索
Ｂ  本考案の救命胴衣のベルト
Ｃ  本考案の救命胴衣のベルト通し
Ｄ  本考案の救命胴衣の救命胴衣が収納された袋
Ｅ  本考案の救命胴衣の両面ファスナー
Ｆ  本考案の救命胴衣の補助送気管
Ｇ  本考案の救命胴衣の本体
【図１】
0003101892.tif 000003
【図２】
0003101892.tif 000004
【図３】
0003101892.tif 000005
【図４】
0003101892.tif 000006
【図５】
0003101892.tif 000007
(57)【要約】【課題】  従来のブラックシリカ健康具はブラックシリカとその他物質とを混合させ布に塗布したり、混合物を成型することにより鉱物の有する効果を利用していた。直接肌に貼って利用する場合には、貼った箇所に異物感があったり、肌が荒れたり、ブラックシリカにより黒くなり衣服が汚れてしまったりと多少の不都合が生じていた。また、磁気やチタンを利用した健康具は一般的によく知られているが、磁力による副作用があったり、金属アレルギーがあったりと使用する人によっては使用の制限があるなど一般的な健康具としては使用しにくい点がある。【解決手段】ブラックシリカ原石を研磨加工し、リング状につなげたネックレス、リストバンドなどの健康具を形成したものである。【選択図】図１
0003101809.tif 000002
【実用新案登録請求の範囲】
【請求項１】
ブラックシリカの原石を研磨加工したものを、リング状につなげた健康具。
【考案の詳細な説明】
【技術分野】
【０００１】  健康維持用具に関するものである。
【背景技術】
【０００２】  ブラックシリカは、国内では唯一北海道上ノ国町の鉱山で産出され、遠赤外線及びマイナスイオン、波動等の活性エネルギーを放射発散する天然鉱石であり、腰痛・肩こり・神経痛・不眠症等の緩和、及び抗菌・脱臭・浄化等の効果がある鉱石として知られている。従来ブラックシリカを利用した商品はブラックシリカを他物質と混合し加工した商品や、原石そのものを水に入れたり、肌に貼ったり等原石そのものを患部にあてがう事により鉱物の有する効果を利用していた。
【考案の開示】
【考案が解決しようとする課題】
【０００３】  従来のブラックシリカ健康具はブラックシリカとその他物質とを混合させ布に塗布したり、混合物を成型することにより鉱物の有する効果を利用していた。直接肌に貼って利用する場合には、貼った箇所に異物感があったり、肌が荒れたり、ブラックシリカにより黒くなり衣服が汚れてしまったりと多少の不都合が生じていた。また、磁気やチタンを利用した健康具は一般的によく知られているが、磁力による副作用があったり、金属アレルギーがあったりと使用する人によっては使用の制限があるなど一般的な健康具としては使用しにくい点がある。本考案者は、これら課題を解決し原石そのものの効果をさらに快適に体感していただくべく、次に示す手段により課題を解決できる事を見いだし、本考案を完成した。
【課題を解決するための手段】
【０００４】  ブラックシリカ原石を研磨加工し、リング状につなげたネックレス、リストバンドなどの健康具を形成したものである。
【考案の効果】
【０００５】  本考案のブラックシリカ健康具は、ブラックシリカ原石を球体状に研磨加工することによりブラックシリカが放射する遠赤外線、マイナスイオン、波動等の活性エネルギーの効果及びブラックシリカの有する鎮静作用が患部に有効に働くものである。このため肩こり、捻挫、打撲、腰痛その他の症状を解消でき、健康の増進に役立てることができる。また、ブラックシリカを球体状に研磨する事で従来技術での患部の異物感や、服が汚れてしまったりという事がなくなることも本考案の効果によるものである。また他物質と混合させたものよりも原石そのものの効果を十分に得ることが出来るのも本考案によるものであり、誰もが簡単に使用することが可能なブラックシリカ健康具なのである。
【考案を実施するための最良の形態】
【０００６】  本考案の好ましい実施の形態を説明する。健康具は図に示すとおり研磨加工したブラックシリカ（以下研磨加工物という）をリング状に連結させたものであり使用する研磨加工物の粒形、大きさは特に限定はされないが通常は球体状で大きさは３ｍｍ〜１０ｍｍ程度のものを使用するのが望ましい。研磨加工物の中心部には繊維、若しくはワイヤー、シリコン、ゴム等で出来た紐が貫通できるよう１ｍｍ〜３ｍｍ程度の貫通穴を成型し、研磨加工物を連結させるものとする。また、健康具はその適応部位により全体の長さ適宜選択することができるが、手首用は１７ｃｍ〜２２ｃｍ、首用は４５ｃｍ〜６５ｃｍ程度が望ましい。使用しやすいようにブラックシリカ加工物の貫通させる紐は収縮性のあるものを用いるか若しくは脱着パーツを用いるのが望ましい。
【実施例】
【０００７】  以下、図面に基づいて本考案の実施例を説明する。
図１、図２、は本考案にかかるブラックシリカ健康具の全体図である。健康具は図に示すとおり研磨加工物をリング状に連結させたものである。研磨加工物の粒形、大きさは特に限定はされないが通常は球体状で大きさは３ｍｍ〜１０ｍｍ程度に加工するのが望ましい。研磨加工物の中心部には繊維、若しくはワイヤー、シリコン、ゴム等で出来た連結紐が挿入できるよう図３立面図のように１ｍｍ〜３ｍｍ程度の貫通穴を用い、研磨加工物リング状に連結させるものとする。また、健康具はその適応部位により全体の長さを適宜選択することができるが、手首用は１７ｃｍ〜２２ｃｍ、首用は４５ｃｍ〜６５ｃｍ程度が望ましい。使用しやすいように連結紐は収縮性のあるものを用いるのが望ましい。リング状に連結された研磨加工物が連結紐から外れないよう挿入後にはしっかりと結合するものとする。場合によっては連結された健康具の取り外しが容易に出来るように図２に示すように脱着パーツを使用してもよい。
【図面の簡単な説明】
【０００８】
【図１】本考案を示した全体図である。
【図２】本考案を示した全体図である。
【図３】研磨加工物の立面図である
【符号の説明】
【０００９】  １．研磨加工したブラックシリカ（研磨加工物）
２．連結紐
３．脱着パーツ
４．貫通穴
【図１】
0003101809.tif 000003
【図２】
0003101809.tif 000004
【図３】
0003101809.tif 000005
(57)【要約】【課題】従来の配送用管は、例えばエアーホースなどを工場内に配配送用管するとき、壁際に沿わせて床に配置するとホースの直径分が飛び出てしまう。そのため配配送用管された箇所の傍を歩行する時飛び出た部分が邪魔になり歩行に支障を来たす。また、工場内などの室内の内部空間を減らしてしまい限られた空間を有効活用できなくなる。【解決手段】壁際に密着することができるように配送用管の外形断面形状を略三角形にする。【選択図】図３
0003101808.tif 000002
【実用新案登録請求の範囲】
【請求項１】
流体を通して送る配送用管であって、該配送用管の断面形状の外形形状が略三角形である配送用管。
【請求項２】
前記配送用管の内形状が外形形状と同じ請求項１の配送用管。
【請求項３】
前記配送用管の内形状が円形状である請求項１の配送用管。
【考案の詳細な説明】
【考案の詳細な説明】
【技術分野】
【０００１】本考案は、流体を通して送る配送用管に関する。
【背景技術】
【０００２】従来、この種の配送用管は、一般的に外形状および内形状が円形状である。【０００３】しかしながら、これらの従来の配送用管は、例えばエアーホースなどを工場内に配置するとき、壁際に沿わせて床に配置するとホースの直径分が飛び出てしまう。そのため配置された箇所の傍を歩行する者が飛び出た部分が邪魔になり歩行に支障を来たし、転んでケガをする恐れがある。また、飛び出しているので工場内などの室内の内部空間を減らしてしまい限られた空間を有効活用できなくなる。
【考案が解決しようとする課題】
【０００４】本考案はこうした問題に鑑みなされたものであり、歩行に支障を来たさず、また、工場内などの室内の内部空間を減らさずに限られた空間を有効活用できる配送用管を提供することを目的とする。
【課題を解決するための手段及び考案の効果】
【０００５】かかる目的を達成するためになされた請求項１記載の考案は、該配送用管の断面形状の外形形状が略三角形である配送用管である。
【０００６】つまり本考案の請求項１の配送用管によれば、三角形直角部が、壁際に沿わせて床に配置したときに床と壁との角部に隙間なく配置できるので安定するようになる。
すなわち、配送用管は三角形状の角部と壁際の角部とが密着するように配置されている。そのため配送用管に外部から押されたとしても、円形では反発しやすいため壁際からずれてしまうが、該配送用管は角部に対して押さえるだけであるため最初に配置した場所から不用意に位置がずれることがない。
【０００７】また、壁や床に対しての接触面積が円形状の線接触より三角形状の面接触の方がより大きいため床や壁との接触抵抗が大きくなるのでより一層ずれることはない。
【０００８】請求項２によれば、配送用管の外形状と内形状が相似形であるため配送用管の肉厚が均等に構成されているため配送用管の製作上均一に成形できる。
【０００９】請求項３によれば、配送用管の外形状は略三角状であるが内形状は円形のままであるため内部を通す流体の流れに変化を与えることなく通過できる。すなわち、配送用管の内部を通す流体から発生する内部圧力をより効果的に抑えることができる。
【００１０】また、該配送用管が室内の内部空間に対しての飛び出し量は同じ容積を持った場合と比較すると、従来の円形の配送用管に対して２０〜３０％程度低減することができる。
【考案を実施するための最良の形態】
【００１１】以下に、本考案の実施例を図面に基づいて説明する。【００１２】図３のように、壁１と床２でできる角部３に対して配送用管５を形状に沿うように配置させる。すると壁１と辺１２が密着し、床２と辺１１が密着する。【００１３】図５のように壁１と辺１６が密着し、床２と辺１７が密着する。【００１４】図６のように、壁１とリブ２１が接触し、床２とリブ９とリブ２０と角３が接触している。これにより３点支持となる。【００１５】図７のように、壁１と辺１８が密着し、床２と辺１９が密着する。しかし角部３と配送用管１５との間に空間１３ができるので角部３に干渉されることがなく密着する。【００１６】また、図６に示す配送用管１４のように外形をリブ状のヒレ部だけで構成してもよいし、図７に示す配送用管１５のように該配送用管と壁際に対して密着性を持たせるために角部を無くした略三角形状にすることもできる。【００１７】以上、本考案の実施例について説明したが、本考案は上記実施例に限定されるものでなく、種々の態様をとる事ができる。
また、配送用管の材質はプラスチックだけでなく金属、セラミックなど用途に合わせて材質を使用してもよい。
【図面の簡単な説明】
【図１】従来の配送用管の配置した時の斜視図
【図２】従来の配送用管の配置した時の断面図
【図３】実施例１の配送用管の配置した時の断面図
【図４】実施例１の配送用管の配置した時の斜視図
【図５】実施例２の配送用管の配置した時の断面図
【図６】実施例３の配送用管の配置した時の断面図
【図７】実施例４の配送用管の配置した時の断面図
【符号の説明】
壁‥１  床‥２  壁際の角部‥３
従来の配送用管‥４  配送用管５．７．１４．１５
内形状‥６．８．１０．２２
辺‥１１．１２．１６．１７．１８．１９
リブ‥９．２０．２１
空間‥１３    配送用管の角部‥２３
【図１】
0003101808.tif 000003
【図２】
0003101808.tif 000004
【図３】
0003101808.tif 000005
【図４】
0003101808.tif 000006
【図５】
0003101808.tif 000007
【図６】
0003101808.tif 000008
【図７】
0003101808.tif 000009
(57)【要約】      （修正有）【課題】老若男女誰にでも簡単に組み立てができ、移動にも無理が無く、優しさと簡便性を重視したキャスター付ワンタッチ式四脚篭盛り台を提供する。【解決手段】篭盛り台本体は、前脚３と後脚３aを横棒７と７aで固定し、さらに前脚４と、後脚４aを横棒８と８aで固定してあり、それぞれ♯型を形成している。♯型脚部を更に心棒１で止めて、♯型脚部の横棒にストッパー２を取付けて脚部の開脚範囲を調整している。また横棒７・８の上部に角板盤・丸板盤・角紙盤・丸紙盤・プラスチック製盤等の台座を置いて、四方の脚部に切れ込みを入れて♯型脚部の固定・閉脚のストッパーの役割りをしている。４本の脚３、３a、４、４aの脚裏には移動用のキャスターが取付けてある。またストッパー付キャスターも取付けられる。部材は心棒１(木製、竹製も可能)とキャスター６以外はそれぞれ木製及び合板製又は集成材や竹製・紙類・プラスチック製とする。【選択図】図１
0003101864.tif 000002
【実用新案登録請求の範囲】
【請求項１】
四本の脚をそれぞれ♯型に固定し、２部位に形成した。脚部横棒に回転軸となる心棒を入れて１個の脚部を構成し、更に四本の脚裏に移動用キャスターを設けたことを特徴とするキャスター付ワンタッチ式四脚篭盛り台。
【考案の詳細な説明】
【技術分野】
【０００１】
本考案はキャスター付ワンタッチ式四脚篭盛り台。より詳しくは初盆及び仏事や慶事等に供物・供花・花輪・写真・祝辞・トロフィー・光ファイバー・電飾回転マリン灯・電飾回転灯・3Dレーザークリスタル・造花・電飾品等を載置して、飾るために使用される儀式用飾り台である。
【背景技術】
【０００２】
従来より、供物等をお供えする際に、その見栄えを良くする為に、篭盛り台が使用されている。
【考案の開示】
【考案が解決しようとする課題】
【０００３】
従来の篭盛り台は、簡便性に乏しくお供え後の移動に不便である。更に移動時に転倒し破損することも多々有り、更には、上部のお供え物が落下し、人身に危害を加える危険性も充分に考えられる。また組み立ても複雑化している為に、考案者は如何に簡単な方法で組み立てができて、尚更移動が簡単で安全な移動や畳み込みが容易にできる篭盛り台を提供することを目的とする。
【課題を解決するための手段】
【０００４】
本考案者は、上記の目的を達成するために、脚底部にキャスターを取り付け、移動しやすくした。更に複雑な組み立てを容易にし、脚部をより簡単にする為に、回転軸となる心棒を設け脚部全体を一体化したことを特徴とする。
【考案の効果】
【０００５】
本考案によって以下の効果を奏することができる。
【０００６】
脚部全体が一体化となり、部品の欠品・破損も少なく、容易に組み立てられる。
【０００７】
移動も簡単になり、商品及び供用物額の落下も少なく安全である。
【０００８】
組み立ての作業時間が短くなり、無駄な時間・労費が減少する。
【０００９】
脚部の管理が容易で簡便性に優れている。
【００１０】
片付け収納が容易である。
【考案を実施するための最良の形態】
【００１１】
本考案においては、回転軸となる心棒を設けることにより、組み立てがワンタッチ式で簡単であると同時に収納もより簡単にできる。更に移動も簡単で破損等の危険度が少なく機能性に優れている。
【実施例】
【００１２】
図１は本考案のキャスター付ワンタッチ式四脚篭盛り台を示す正面図、図２はキャスター付ワンタッチ式四脚篭盛り台を示す平面図、図３は備品図である。
【００１３】
図１において、１は回転軸心棒を示す図である。
【００１４】
ストッパー２は♯型脚を開いた後、止めるために取付けられている。
【００１５】
前脚３と後脚３aとは、それぞれ弓型の曲線を描いているが、後脚３aの方がお供物の入った額を支える為に長くなっている。
【００１６】
前脚４と後脚４aとは、それぞれ弓型の曲線を描いているが、後脚４aの方がお供物の入った額を支える為に長くなっている
【００１７】
台座５は丸型・四角型・楕円型・多角型等が配置できるが、四方の脚面に当る箇所は切れ込みを入れ脚が閉じるのを止める役割りを果たし、さらに上に飾り物である造花・光ファイバー・回転マリン灯・回転灯篭・３Dレーザークリスタル・電飾品等を配置できる。
【００１８】
キャスター６は脚部の底に取付けられ、篭盛り台の移動が簡単にできる。
【００１９】
横棒７と７aは前脚３と３aを繋ぐ役割りを果たし、さらに前脚４と４aを繋ぐ横棒８と８aと交差し、その交差する箇所に縦穴が抜けて居り、その縦穴に回転軸となる心棒を取付けられている。
【００２０】
横棒８と８aは前脚４と４aを繋ぐ役割りを果たし、さらに前脚３と３aを繋ぐ横棒７と７aと交差し、その交差する箇所に縦穴が抜けて居り、その縦穴に回転軸となる心棒を取付けられている。
【００２１】
図２のワンタッチ式脚部平面図Aは、四方の脚を組み立てた状態で、１が回転軸の心棒で、２が四方脚を止めるストッパーである。
【００２２】
図２のワンタッチ式脚部閉脚平面図Bは四方の脚を畳んだ状態である。
【００２３】
図３の心棒１の備品(A)(B)は金属製で、木製心棒備品(C)も取付けられる。断面図(A)(B)と部品図が心棒を取付け完了図である。
【００２４】
図１の１〜８a迄の脚部組み立てが完了したら、供用物入り額部９を篭盛り台本体の上面に載置する。
【産業上の利用可能性】
【００２５】
本考案はキャスター付ワンタッチ式四脚篭盛り台。より詳しくは初盆及び仏事や慶事等に供物・供花・花輪・写真・祝辞・トロフィー・光ファイバー・電飾回転マリン灯・電飾回転灯・3Dレーザークリスタル・造花・電飾品等を載置して、飾るために使用される儀式用飾り台である。
【図面の簡単な説明】
【００２６】
【図１】本考案の一実施例であるキャスター付ワンタッチ式四脚篭盛り台正面部位図である。
【図２】図1の上部からの平面図である。
【図３】ワンタッチ部の備品図とストッパー付キャスターである。
【符号の説明】
【００２７】
１  心棒
２  ストッパー
３  前脚
３a  後脚
４  前脚
５  台座
６  キャスター
７  下部横棒
７a  上部横棒
８  下部横棒
８a  上部横棒
【図１】
0003101864.tif 000003
【図２】
0003101864.tif 000004
【図３】
0003101864.tif 000005
【手続補正書】
【提出日】平成16年1月14日(2004.1.14)
【手続補正１】
【補正対象書類名】実用新案登録請求の範囲
【補正対象項目名】全文
【補正方法】変更
【補正の内容】
【実用新案登録請求の範囲】
【請求項１】
四本の脚をそれぞれ交差するように固定し、脚部横棒に回転軸となる心棒を入れて１個の脚部を構成し、更に四本の脚裏に移動用キャスターを設けたことを特徴とするキャスター付ワンタッチ式四脚篭盛り台。
(57)【要約】      （修正有）【課題】経糸と緯糸とで織り成された布を、出発素材として、型崩れが起りにくく、強度の高いバイアス衣料を提供する。【解決手段】縦糸と緯糸で織り成された布を、でき上がり寸法に割り出し、帯状の布を螺旋に沿って、螺旋に接ぎ合せることにより、円筒状、円錐筒状のバイアスの衣料とする。【選択図】図２
0003101865.tif 000002
【実用新案登録請求の範囲】
【請求項１】
経糸と緯糸により織り成された布地を、螺旋状に接ぎ合わせることにより、形成された、バイアスの円筒状の衣料。
【請求項２】
経糸と緯糸により織り成された布地を、螺旋状に接ぎ合りせることにより、形成された、バイアスの円錐状の衣料。
【請求項３】
上記螺旋のつる巻角が４５度である請求項１、請求項２のいずれかに記載のバイアスの衣料。
【考案の詳細な説明】
【技術分野】
【０００１】  螺旋に接ぐバイアス衣料に関する
【背景技術】
【０００２】  織布は織方向よりバイアス方向に強く、伸縮性もあるので、衣料ではバイアス生地の可能性を重要としている現状がある。
衣料は基本的に、前身頃、後身頃などから成るいくつかの部位を組み合わせて形成されているが、バイアス生地の場合、縫い糸の伸縮性とバイアス生地の伸縮性の違いから、型崩れを起こし、成形しにくい。また、バイアスと織り目縦との接ぎ、バイアスと織り目緯との接ぎ、バイアス同士の接ぎにおいても、それぞれの伸縮性の違いから、型崩れを起こしやすいという問題がある。
【考案の開示】
【考案が解決しようとする課題】
【０００３】  バイアス衣料において、布地を無理なく接ぎ合わせることで、前述の欠点を解決しようとするものである。
【課題を解決するための手段】
【０００４】  ４５度の角度で、織り目縦又は緯を弦巻状に縫えば、円筒状のバイアス布となる。
【考案の効果】
【０００５】  上述の様に、本考案の衣料は接ぎ目が織り目方向にあるため、型崩れが起こりにくいことは勿論、強度も増す。そして、今まで作ることのできなかった、細い生地からバイアス衣料を作ることができる。また、円柱状だけでなく円錐筒状の組み合わせによって表現方法は無限に広がる。
【考案を実施するための最良の形態】
【０００６】織り目縦、又は緯に通った帯状の布を、４５度の角度で弦巻状に接ぎ合せれば、円筒状のバイアス布となる。
この事より、出来上がりの円筒の周囲を必要寸法Ａとして、接ぎ目に対して直角方向を
0003101865.tif 000003
【実施例】
【０００７】  以下、添付図面に従って実施例を説明する。
図１は円筒状のバイアス布である。円周と着丈から生地幅と生地の長さを割り出し、展開図をつくる（図２）。この図に沿って生地を裁断し縫製して、スカート、パンツ、ワンピース、ブラウス、ジャケット、コートなどの衣類に仕上げる。【０００８】  図３円錐筒状の衣料の場合、接ぎ合わせの線は、縦糸または緯糸に対し角度が４５度に近づく程、型崩れを起こしやすいので極力角度を織り目に近づけなければならない。そこで、細い帯状の布を何枚が接ぎ合わせるなどの処置が必要である。円周と着丈から生地幅と生地の長さを割り出し、展開図をつくる図４。この図に沿って生地を裁断し縫製して、スカート、パンツ、ワンピース、ブラウス、ジャケット、コートなどの衣類に仕上げる。
【図面の簡単な説明】
【０００９】
【図１】円筒状図である。
【図２】円筒状展開図である。
【図３】円錐筒状図である。
【図４】円錐筒状展開図である。
【符号の説明】
Ａ円周の長さ
Ｂ生地幅
Ｃ着丈（高さ）
Ｄ生地の長さ
Ａ”円錐筒状の底円周の長さ
【図１】
0003101865.tif 000004
【図２】
0003101865.tif 000005
【図３】
0003101865.tif 000006
【図４】
0003101865.tif 000007
(57)【要約】【課題】  本考案は、リュックサック装着ベルト本体に自動でベルトを巻き取る装置を設け、電車等交通機関内その他での障害となる長たらしいベルトの煩わしさを防止する。電車等内でリュックサックを背負うことは、特に混んでいる場合には他の乗客に不快感を与え迷惑となるので、リュックサックを手に持って乗車するのがマナーであるが、その際、リュックサックの胸及び腰部分のベルトが長ったらしくて煩わしいので、その障害となるベルトを自動的に巻き取らせて煩わしさを解決しようとするものである。【解決手段】  本考案は、リュックサック装着ベルト本体１に弾性体（バネなど）によるベルト巻き取り装置を設置し、自動巻き取り方式にする。この構造は、例えば現在市販されている長さ１ｍか２ｍ程の自動巻き取り巻尺か、電気掃除機の電気コードの巻き取りと同様の仕組みに基づいたものであると考えれば分かり易い。【選択図】  図２
0003101862.tif 000002
【実用新案登録請求の範囲】
【請求項１】
リュックサック装着ベルト（胸及び腰部分のベルト）本体に、弾性体（バネなど）によるベルト自動巻き取りのための収納部分を設け、リュックサック装着ベルトを使用しない際に、当該左右ベルトを自動で収納部分に巻き取るようにしたところを特徴とするリュックサック装着自動巻き取りベルト
【考案の詳細な説明】
【技術分野】
【０００１】  本考案は、リュックサックに装着した胸及び腰部分の左右ベルトを弾性体（バネ等）により自動巻き取りにした、リュックサックのベルトに関するものである。
【背景技術】
【０００２】  従来、リュックサックに装着してある胸及び腰部分の左右ベルトは、巻き取り方式ではなかった。
【考案の開示】
【考案が解決しようとする課題】
【０００３】  これは今迄つぎのような欠点があった。
従来、リュックサックを手に持って電車等交通機関を利用し床や網棚に置いたりした際、他の乗客の障害になることもあり、また室内で保管する場合など、当該左右のベルトは長たらしく煩わしいものであった。また、うっかりベルトを踏んで、ベルトの先端の留め具（ツメ）を折ったりすることも時にはみられた。
従って、本考案は、以上のような欠点を解決しようとするものである。
【課題を解決するための手段】
【０００４】  本考案は、リュックサック装着ベルト本体（胸及び腰部分のベルト）に、各々当該左右に弾性体（バネ等）による自動巻き取り装置を設ける。リュックサックを背負わないなど、リュックサックのベルトを使用しない折には、常に左右ベルトは各々巻き取られた状態にある。このことにより従来のベルトの長たらしく煩わしい問題点を解決している。
【考案の効果】
【０００５】  上述のように、従来のものと異なり、リュックサックに装着してある胸及び腰部分の左右ベルトは自動巻き取り方式であるので、リュックサックを背負わずそれを手に持って電車等交通機関を利用し床や網棚に置いたり、また、室内で保管する時などは、当該左右ベルトは常に巻き取り収納部分に巻き取られた状態であることにより、長たらしく障害となるベルトの煩わしさを防止するものとして役立つ。
【考案の実施するための最良の形態】
【０００６】  リュックサック装着ベルト本体の胸及び腰部分の左右ベルトを弾性体（バネなど）による自動巻き取り方式にする。この自動巻き取りベルトの構造は、例えば、現在市販されている長さ１ｍか２ｍ程の自動巻き取り巻尺か、あるいは、電気掃除機の電気コードの巻き取りと同様の仕組みに基づいたものであると考えれば分かり易い。
従って、リュックサックを背負わない時など、当該胸及び腰部分のベルトを使用しない折には、常に左右ベルトは各々巻き取られた状態にある。当該ベルトを使用する際には左右ベルトを引っ張って両者一致した所で留める。なお、引っ張り具合がきつい場合は、引っ張りをストップさせるロック（伸縮防止ストッパー）などを左右に付けるなりすれば防げるであろう。また、当該ベルトを使用している際、即ち、使用中において、常に引っ張っている方式に変えて、使用中は引っ張らず従来の方式（本考案以外の方式）でベルトを使用し、ベルトを外した際にボタン（またはレバーやスイッチのようなもの）を操作することによって、そのベルトがベルト収納部分に自動で巻き取られる方式（例えば、電気掃除機の電気コードの巻き取りと同様の仕組み）についても、一考に値するものであり本考案の主旨に添うものである。
【実施例】
【０００７】  以下、添付図面に従って一実施例を説明する。
１はリュックサック装着ベルト本体（胸及び腰部分両者共通）、２はベルト巻き取り収納部分（胸及び腰部分また当該各々ベルト左右共通）、３はリュックサック
【図面の簡単な説明】
【０００８】
【図１】本考案のリュックサックを背負った時など、リュックサック装着自動巻き取りベルトを使用している時の一実施例を示す正面図である。
【図２】本リュックサック装着ベルトの自動により巻き取った時、即ち、当該ベルトを使用していない時の正面図である。
【符号の説明】
【０００９】  １  リュックサック装着ベルト本体
２  ベルト巻き取り収納部分
３  リュックサック
【図１】
0003101862.tif 000003
【図２】
0003101862.tif 000004
【手続補正書】
【提出日】平成15年12月20日(2003.12.20)
【手続補正１】
【補正対象書類名】実用新案登録請求の範囲
【補正対象項目名】全文
【補正方法】変更
【補正の内容】
【実用新案登録請求の範囲】
【請求項１】
リュックサック装着ベルト本体に、バネなどの弾性体によるベルト自動巻き取りのための収納部分を設け、リュックサック装着ベルトを使用しない際に、当該左右ベルトを自動で収納部分に巻き取るようにしたところを特徴とするリュックサック装着自動巻き取りベルト
(57)【要約】      （修正有）【課題】強固で両面に断熱性空間兼設備収納スペースを有し、加工が簡単で安価であり、かつ健康的な環境をかもし出す溝状部を形成した建築用パネルを提供する。【解決手段】丸太材を太鼓状に挽いた木材を、縦に切断して得た厚さ一定の左右に木肌９を持つ複数枚の厚い板を製作し、縦切断面同士を重ね合わせて接着することで、両面に溝状空間１０を形成したパネルとなり、簡単な加工なので安価でしかも健康的なパネルとなる。【選択図】図３
0003101867.tif 000002
【実用新案登録請求の範囲】
【請求項１】
丸太材を太鼓状に挽いた木材（１）から、板厚一定で左右に木肌（９）を有するべく縦に切断して得た複数枚の木板（３）を、縦切断面（４）同士木板（３）の半幅の範囲で幅方向に重ね合わせて接着することにより、両面に溝状部（１０）を形成した建築用パネル。
【考案の詳細な説明】
【技術分野】
【０００１】  本考案は、左右に木肌を有する木板を接着し、両面に溝状部を形成した、壁、天井、床等に使用する建築用パネルに関するものである。
【背景技術】
【０００２】  木製の建築用パネルには、主に内壁用とし使用されていて、格子状の芯材の両面にベニャ板を張ったパネルや、格子状の芯材の空間に発泡ウレタンを注入して、両面にベニヤを張ったパネルがある。【０００３】  丸太材を使用したパネルには、先に出願した特開平７−２７９３０３号また、特開平７−３１７２０３号記載の発明で、丸太材を縦に切断して得た２本以上の半円中を元口同士または、元口と末口を反対向きにして、切断面を末口の半径から１ｃｍの幅の範囲で重ね合わせて固着してなる、壁などに適したパネルがある。
【考案の開示】
【考案が解決しようとする課題】
【０００４】  問題点には、両面ベニヤ板パネルと発泡剤を注入したパネル等は、吸湿性によるベニヤ板の劣化と木質のように良好なる環境が得られない点。また丸太材を半裁した半円柱を接着してなるパネルは、厚さが異なるので工場での量産が困難なる点である。
【課題を解決しようとする手段】
【０００５】  板厚を一定にした木板を使用することで工場生産を簡単にし、かつ木質の特徴を生かした安価で量産を可能にしようとするものである。
【考案の効果】
【０００６】  本考案の溝状部を形成したパネルは、厚い板のパネルであるから強度と自己消火性に優れ、また木材特有の吸湿性と吐湿性に富み、木の温くもりにより健康に適したすばらしい室内環境を得る働きをする。量産化による国内林業の活性化が計れる。
【考案を実施するための最良の形態】
【０００７】  溝状部をパネルの両面に形成するように平板を接着することで実現した。
【実施例１】
【０００８】  図１から図４までの斜視図で説明する。図１の本考案に使用する木材１は、丸太材の両面を縦に挽いて太鼓状の木材１にしたものである。図２の斜視図で木板３は、丸太材を太鼓状に挽いた木材１の中心線２で縦に切断して得た板厚一定の左右に木肌９を有する木板３であり、板厚は建物に使用する角柱寸法の２分の１以内であればよく、長さは壁、床、屋根等の寸法で決まる。図３で斜視図のパネル７は、上記木板３の複数枚を切断面４で硬質心材部５の左右に存在する縦軟質部６同士を幅方向に重ね合わせて接着し、両面に溝状部１０を有するパネル７にしたものである。接着剤は、人体に悪影響を及ぼすような有機溶剤を使わない接着剤であり、一般に使われている木工用接着剤でも良い。接着した該パネル７の両面には、溝状部１０と、木肌９と、太鼓状の切断面８が交互に形成されることになる。【０００９】  図４の斜視図で両端に補強材１１を設けたパネルは、該パネル７の両端の部分で片面の各木板３に対し、直角に補強材１１の幅だけカットした部分に、木板３の厚さと同じ厚さの補強材１１を接着した、本考案のパネル７を一層強固にしたものである。
【産業上の利用可能性】
【００１０】  本考案のパネルは、板厚一定の木板を使用したパネルなので下地無でボードを張ることが出来るし、壁面材として縦に使用すれば溝状部の空間が空気対流の通路となり、また給湯配管、電気配線の収納スーペスとして利用が可能である。【００１１】  本考案のパネルは、接着有効面が大きいので多少曲がった板材も利用が出来、工場での量産が可能である。施工面では、簡単で早く安価にできるし筋違、柱の不要な建物も可能であり、さらに新建材を一切使用しない建築物も可能である。
【図面の簡単な説明】
【００１２】
【図１】  丸太材を太鼓状に引いた木材の斜視図である。
【図２】  左右に木肌を有する２枚の木板に切断した斜視図である。
【図３】  木板の縦軟質部同士重ね合わせて接着したパネルの斜視図である。
【図４】  パネルの両端に補強材を接着した補強パネルの斜視図である。
【符号の説明】
【００１３】  １      木材
２      中心線
３      木板
４      縦切断面
５      硬質心材部
６      軟質部
７      パネル
８      太鼓状の切断面
９      木肌
１０    溝状部
１１    補強材
１２    補強パネル．
【図１】
0003101867.tif 000003
【図２】
0003101867.tif 000004
【図３】
0003101867.tif 000005
【図４】
0003101867.tif 000006
(57)【要約】      （修正有）【課題】植木鉢本来の美観を損なわず、必要に応じた複数の太さの支柱を容易に設置又は交換し自立さすことが出来る支柱差込み穴付植木鉢を提供する。【解決手段】中空構造物の上面が、鉢内の予想土面に近く、穴は垂直で鉢の底版を貫通していること。且つ穴の径が上段より段階的に太径支柱用3〜細径支柱用5と変化している。【選択図】図３
0003101861.tif 000002
【実用新案登録請求の範囲】
【請求項１】
植木鉢の内壁に、植物を支持する支柱を差込むための中空構造物を、設けたことを特徴とする植木鉢。
【請求項２】
中空構造物の中空部は円形の穴とする事。
【請求項３】
中空構造物の上面は鉢の予想土面に近く、穴は垂直で鉢の底版を貫通している事。
【請求項４】
中空構造物の穴の径は、鉢の大小による必要に応じ２段階又は３段階と上段より太径支柱用〜細径支柱用と段階的に変化している事。
【考案の詳細な説明】
【技術分野】
【０００１】  本考案は、支柱を差込むための中空構造物を設けた、植木鉢に関するものである。
【背景技術】
【０００２】  植木鉢に植える植物で、蔓科又は背丈の高いものを支持する支柱を設置するとき  Ａ：鉢内の土に直接差込む。  Ｂ：支柱差込み穴付装置を装着しそれに差込む。  Ｃ：無造作に支柱を差込むための中空構造物を設けそれに差込む。  Ｄ：上記Ｂ，Ｃにおいて、支柱差込み穴の径が１種類である。
【考案の開示】
【考案が解決しようとする課題】
【０００３】  Ａ：土に直接差込むと、支柱の自立が不安定なため充分な機能を果たさず美観上も良くない。  Ｂ：装置を装着することは製作費が高くなり、美観上も良くない。  Ｃ：中空構造物を外部に設けると、美観上好ましくなく、内部に設けると、支柱差込み穴の穴ずまりに対する清掃が困難などで、支柱の設置及び交換が容易行う事が出来ない。  Ｄ：穴の径が１種類であるため、植木の変化に対応した太さの支柱の設置が出来ない。
【課題を解決する為の手段】
【０００４】  植木鉢の内壁に、支柱を差込むための中空構造物を設け問題点を解決する。  中空構造物の上面は鉢内の予想土面に近く、穴は垂直で鉢の底版を貫通させる、且つ穴の径は、鉢の大小による必要に応じ２段階又は３段階と上段より太径支柱用〜細径支柱用と段階的に変化したものとする。
【考案の効果】
【０００５】  Ａ：本考案は、植木鉢本来の外観を損なわず、支柱を自立することができる。  Ｂ：支柱差込み穴の清掃が容易に出来るため、支柱の設置及び交換が容易に出来る。  Ｃ：必要に応じた複数の太さの支柱が設置できる。
【考案を実施するための最良の形態】
【０００６】  中空構造物の上面が、鉢内の予想土面に近く、穴が垂直で鉢の底版を貫通していること。又支柱の差込む穴が、上段より段階的に太径〜細径となっている。
【実施例】
【０００７】  以下図面に従って実施例を説明する。１は植木鉢本体で、２の中空構造物の３〜５の支柱用差込み穴へ、必要に応じた太さ６〜８の支柱を差込み設置する。
【図面の簡単な説明】
【０００８】
【図１】本考案の支柱差込み穴付植木鉢え、支柱を設置した状態の鳥瞰図
【図２】平面図
【図３】「図２」のＡ−Ａ断面図
【図４】−Ａ  太径支柱を設置した状態の１部断面図  −Ｂ  中細径支柱を設置した状態の１部断面図  −Ｃ  細径支柱を設置した状態の１部断面図
【符号の説明】
【０００９】１  植木鉢本体２  中空構造物３  太径支柱差込み穴４  中細径支柱差込み穴５  細径支柱差込み穴６  太径支柱７  中細径支柱８  細径支柱
【図１】
0003101861.tif 000003
【図２】
0003101861.tif 000004
【図３】
0003101861.tif 000005
【図４】
0003101861.tif 000006
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
植木鉢の内壁に、植物を支持する支柱を差込むための中空構造物を、設けたことを特徴とする植木鉢。
【請求項２】
中空構造物の中空部は円形の穴とする事を特徴とする請求項１記載の植木鉢。
【請求項３】
中空構造物の上面は鉢の予想土面に近く、穴は垂直で鉢の底版を貫通している事を特徴とする請求項１記載の植木鉢。
【請求項４】
中空構造物の穴の径は、鉢の大小による必要に応じ２段階又は３段階と上段より太径支柱用〜細径支柱用と段階的に変化している事を特徴とする請求項１記載の植木鉢。
(57)【要約】【課題】  夏の暑い日に首筋に流れる汗を拭き取り、不快感を除去する衣類を提供する。【解決手段】  冬の防寒着として着用する襟巻きについて、吸水性に優れた綿等の素材を用いて製造することで、夏の暑い日に汗拭き用として利用することを特徴とする。【選択図】  図１
0003101863.tif 000002
【実用新案登録請求の範囲】
【請求項１】
吸水性に優れた綿等の素材で製造した夏用の襟巻き。
【考案の詳細な説明】
【技術分野】
【０００１】  この考案は、夏の暑い日に首筋に流れる汗を吸い取り、汗による不快感を取り除くための夏に着用する襟巻きに関するものである
【背景技術】
【０００２】  従来、暑い頁の時期、首筋に汗が出たときはハンカチかタオルで拭き取るしかなかった。
【考案の開示】
【考案が解決しようとする課題】
【０００３】  これには次のような欠点があった。
（イ）ハンカチはすぐに汗でびしょびしょになって汗を吸わなくなり、濡れた状態で持ち運びしなくてはならなかった。
（ロ）タオルは便利であるが、背広姿の場合には首に巻き付けることは、見た目に抵抗があってできなかった。
本考案は、以上の欠点を解決するための考案されたものである。
【課題を解決するための手段】
【０００４】  綿等の吸水性に優れた素材を使用した襟巻きにおしゃれな柄をプリントすることによって、シルクなどの素材を使用したスカーフと同等の感覚で着用でき、首筋の汗をぬぐえる。
【考案の効果】
【０００５】  本考案は、シルクなどの素材で作られたスカーフと同様のおしゃれ用品として使用するので、背広姿でも抵抗感無く着用できる上、汗を吸い取るためのタオルやハンカチの役割を果たすので、汗による首筋の不快感を除去することができる。
【考案を実施するための最良の形態】
【０００６】  以下、本考案の実施するための最良の形態を説明する。
（イ）冬の寒い時期に使用する防寒用の襟巻きと同等の大きさにする。
（ロ）素材は汗を吸い取りやすい綿等を使用する。
本考案は以上のような構造で、首に巻いて使用する。
【実施例】
【０００７】  本考案をワイシャツやブラウスの襟と首筋との間に挟み込むか、首筋に巻き付けて着用することで、首筋に流れ出る汗を吸い取るので不快感を除去することができる。この他、首筋に照りつける直射日光を遮るので、日焼け防止の効果も得ることができ、洗濯も自宅で簡単にできる。
【産業上の利用可能性】
【０００８】  吸水性に優れた綿等の素材を利用する他、タオル地にすることでハンカチやタオルを製造する産業に新たな製品を加えることができる。
【図面の簡単な説明】
【０００９】
【図１】  本考案を示した斜視図である。
【図２】  本考案の実施例を示した斜視図である。
【符号の説明】
１  襟巻き
【図１】
0003101863.tif 000003
【図２】
0003101863.tif 000004
【手続補正書】
【提出日】平成15年12月26日(2003.12.26)
【手続補正１】
【補正対象書類名】実用新案登録請求の範囲
【補正対象項目名】全文
【補正方法】変更
【補正の内容】
【実用新案登録請求の範囲】
【請求項１】
吸水性の良い素材の布を防寒用の襟巻きと同様の大きさ、形状にした汗を吸い取るための夏用の襟巻き。
(57)【要約】
【課題】ホルダー等の器具を使用せずに、へら部が他の物品に直接触れないで置ける衛生的なしゃもじを提案する。
【解決手段】握り柄端部面積の比率を大きくし、しゃもじ単体でバランスよく縦置き出来るようにすることで、ホルダー等の器具を必要とせずに、へら部分が他の物品に直接触れないで置ける、衛生的で置き場に困らないしゃもじを実現した。
【選択図】図１
0003101062.tif 000002
【実用新案登録請求の範囲】
【請求項１】
握り柄端部面積の比率を大きくし、縦置き出来るしゃもじ。
【考案の詳細な説明】
【技術分野】
【０００１】
本考案は、ホルダー等の器具を必要とせずに、へら部分が他の物品に直接触れないで置けるよう、握り柄端部面積の比率を大きくし縦置き出来る衛生的なしゃもじに関するものである。
【背景技術】
【０００２】
従来のしゃもじは、へら部分同様に握り柄部の断面も平たい板状のものが多い。へら部分が他の物品に触れないように置くためには、しゃもじ用のホルダーを使用することが主流で、しゃもじに加えてホルダーの管理が必要だった。
【考案の開示】
【考案が解決しようとする課題】
【０００３】
解決しようとする問題点は、しゃもじを置く時に、へら部分が他の物品に触れたり、しゃもじを炊飯器の中に直接収納してしまうことは非衛生的であるという点である。
【課題を解決するための手段】
【０００４】
本考案は、しゃもじの握り柄端部面積の比率を大きくし、しゃもじ単体で縦置き出来るようにすることを最も主要な特徴とする。
【考案の効果】
【０００５】
縦置きのため、へら部分が他の物品に接触せず衛生的である。横置きに対してスペース効率が高い。単独で自立するため、ホルダー等の器具を必要としない。
【考案を実施するための最良の形態】
【０００６】
本考案は、しゃもじを衛生的に置くという目的を、他の器具を使用したり新たな部品を付け加えたりすることなく、握り柄端部１に対し、しゃもじが安定して縦置き出来るのに十分な面積を与えるだけというシンプルな方法で実現した。
【図面の簡単な説明】
【０００７】
【図１】しゃもじの正面図及び側面図である。
【符号の説明】
【０００８】
１    握り柄端部
２    へら部
３    握り柄部
【図１】
0003101062.tif 000003